(57)【要約】      （修正有） 【課題】Ｌ状吊り下げ台紙の突出部分に商品を装着する商品陳列具において、前方突出部分の前傾（前下がり）を防止できる商品陳列具を提供する。【解決手段】折り返し状態の台紙の下方部分を、前方に折り曲げＬ状とし、重なり合い且つ互いに連結されている上下台紙部２１，２２で形成される突出部２に商品装着部４を設け、重なり合い且つ互いに連結されている前後台紙部３１，３２で形成される背台紙部３の上方個所に、吊下げ用の掛け部３３を設けて商品陳列具を構成する。さらに、突出部を構成する上方台紙部２１と下方台紙部２２の各々の前後台紙部との折曲位置（折曲線１１，１２）を、前後或いは上下にずらし、前記折曲個所に台紙による三角柱空間ｂを形成してなる。【選択図】図１
0003164383.tif 000002
【実用新案登録請求の範囲】
【請求項１】
折り返し状態の台紙の下方部分を、前方に折り曲げて突出部を形成すると共に、重なり合い且つ適宜個所で互いに連結されている上下台紙部で形成される突出部に商品装着部を設け、重なり合い且つ適宜個所で互いに連結されている前後台紙部で形成される背台紙部の上方個所に、吊下げ用の掛け部を設けた商品陳列具において、突出部を構成する上方台紙部と下方台紙部の各々の前後台紙部との折曲位置を、前後或いは上下にずらし、前記折曲個所に台紙による三角柱空間を形成してなることを特徴とする商品陳列具。
【請求項２】
後方台紙部を、前方台紙部より下方へ突出させてから前方へ折曲し、前記折曲個所で上下台紙部による三角柱空間を形成してなる請求項１記載の商品陳列具。
【請求項３】
下方台紙部を、上方台紙部より後方へ突出させてから上方へ折曲し、前記折曲個所で前後台紙部及び下方台紙部による三角柱空間を形成してなる請求項１記載の商品陳列具。
【請求項４】
下方台紙部に設けた陳列対象商品の吊下げ装着可能な吊下げ用透孔と、上方台紙部に設けた陳列対象商品の一部を下方台紙部で挟持する部位を備えた形状の抑え透孔とで、商品装着部を形成してなる請求項１乃至３記載の何れかの商品陳列具。
【考案の詳細な説明】
【技術分野】
【０００１】
本考案は、商品展示のための商品陳列具に関するものである。
【背景技術】
【０００２】
商品を陳列販売する手段として、棚面からフック棒を前方に突出させ、適宜な厚さの台紙（紙製）に商品を装着し、このフック棒に台紙を掛け止め、商品の吊下げ陳列を行うことが為されている。
【０００３】
前記の陳列手段として、台紙の一部を前方に突出させ、当該突出部分に吊下げ係止孔部を設け、この係止孔部に商品を挿通して吊下げ装着する構造が知られている（特許文献１図１、特許文献２）。
【先行技術文献】
【特許文献】
【０００４】
【特許文献１】特開平５−１２３２３３号公報図１。
【特許文献２】実開平６１−１６７８６７号公報。
【考案の概要】
【考案が解決しようとする課題】
【０００５】
前記の特許文献１の図１に開示されている商品装着用の突出部の構造は、背台紙部分から台紙を前方に折り曲げ、更に折り返して再度背台紙とするものであり、特許文献２に示されている突出部は、背台紙から切り起こし前方に突出させて形成しているものである。
【０００６】
しかし単に前方に折り曲げ、或いは切り起こしの場合には、突出部の係止透孔に商品を装着すると、商品の重さで突出部が前傾して首下げ状態となり、必ずしも見栄えの良いものではない。
【０００７】
また突出部の切り起こし形成の場合には、突出部の下方にも背台紙が存在し、突出部が装着商品（陳列商品）と共に前傾したとしても、装着商品が背台紙に衝突して前傾が停止するが、特に単品陳列や並列陳列の場合であって、突出部を単なる折り曲げで形成した器具では、突出部下方の背台紙が存在しないので、突出部の前傾を止めることなく、装着商品の重量によるバランス位置まで前傾してしまう。
【０００８】
そこで本考案は、簡単な構造で、突出部の首下げ（商品の前傾）を防止した商品陳列具を提案したものである。
【課題を解決するための手段】
【０００９】
本考案に係る商品陳列具は、二折り返し状態の台紙の下方部分を、前方に折り曲げて突出部を形成すると共に、重なり合い且つ適宜個所で互いに連結されている上下台紙部で形成される突出部に商品装着部を設け、重なり合い且つ適宜個所で互いに連結されている前後台紙部で形成される背台紙部の上方個所に、吊下げ用の掛け部を設けた商品陳列具において、突出部を構成する上方台紙部と下方台紙部の各々の前後台紙部との折曲位置を、前後或いは上下にずらし、前記折曲個所に台紙による三角柱空間を形成してなることを特徴とするものである。
【００１０】
而して商品装着部に所定の商品を装着し、掛け部を陳列棚の前方に突出したフック棒に掛け止めして商品の吊下げ陳列を行う。この商品重量によって、突出部には前傾（前下がり）に作用する力が加わるが、突出部の前傾は、三角柱空間の歪みとなるので、三角柱空間の耐歪み作用が、突出部前傾抵抗となる。従って突出部の前傾が防止されることになる。
【考案の効果】
【００１１】
本考案の構成は上記のとおりで、商品を台紙に装着して吊下げ陳列を行う陳列具で、特に商品を台紙の折曲突出部に装着した陳列において、非常に簡単な構造で商品荷重が加わる前記の折曲突出部の前傾を防止したもので、見栄えの良い陳列を実現するものである。
【図面の簡単な説明】
【００１２】
【図１】本考案の第一実施形態の全体斜視図。
【図２】同分解斜視図。
【図３】同側面図。
【図４】同第二実施形態の全体斜視図。
【図５】同側面図。
【考案を実施するための形態】
【００１３】
次に本考案の実施形態について説明する。図１乃至図３は、第一実施形態で、基本的な構成は、適宜厚さの台紙を二つ折りし、折り返した下方部分を所定の折曲線１で、前方に折り返して突出部２と背台紙部３を形成し、且つ前記突出部２には予め商品装着部４を設けてなるものである。
【００１４】
突出部２は、重なり合う上方台紙部２１と下方台紙部２２で構成され、背台紙部３は、前方台紙部３１と後方台紙部３２と、透孔その他任意形状の掛け部３３で構成される。
【００１５】
そして突出部２には、商品装着部４を設けたもので、例えば陳列対象商品Ａが茶漉しのような鍔部ａを備えているような場合には、商品装着部４は、下方台紙部２２に設けた陳列対象商品Ａを吊下げ装着可能に鍔部ａが載置される大きさの吊下げ用透孔４１と、上方台紙部２１に設けた陳列対象商品Ａの鍔ａを下方台紙部２２で挟持する部位（挟持部４２）を備えた抑え透孔４３とで形成してなるものである。
【００１６】
また折曲線１は、上方台紙部２１と前方台紙部３１との第一折曲線１１と、下方台紙部２２と後方台紙部３２との第二折曲線１２からなり、上方台紙部２１と下方台紙部２２、及び前方台紙部３１と後方台紙部３２を重ね合わせた際に、第二折曲線１２が第一折曲線１１の下方へずれた位置となるようにしたものである。
【００１７】
而して陳列対象商品Ａを吊下げ用透孔４１に嵌合し、鍔部ａが下方台紙部２２に載置される状態とし、下方台紙部２２上に上方台紙部２１を重ね合わせ、ステープラーや糊等で下方台紙部２２上に上方台紙部２１を連結固着する。
【００１８】
更に前方台紙部３１と後方台紙部３２も重ね合わせて連結固着すると、陳列対象商品Ａが突出部２に取り付けられた陳列可能状態となり、掛け部３３を陳列棚のフック棒Ｂに掛け、陳列を行うものである。
【００１９】
特に前記の陳列状態に於いて、第一折曲線１１と第二折曲線１２の位置がずれているので、当該個所に三角柱空間ｂが形成され、且つ前記の三角柱空間ｂの外側は、台紙部の重合固着で固定されているので、陳列時の突出部２の前傾が阻止されることになり、適正状態（突出部２の非前傾）での陳列が持続するものである。
【００２０】
また図４，５は本考案の第二実施形態で、第二実施形態は、折曲線１ａの位置を変更したもので、上方台紙部２１と前方台紙部３１との第一折曲線１１ａと、下方台紙部２２と後方台紙部３２との第二折曲線１２ａが、上方台紙部２１と下方台紙部２２、及び前方台紙部３１と後方台紙部３２を重ね合わせた際に、第二折曲線１２ａが第一折曲線１１ａの後方へずれた位置となるようにしたものである。
【００２１】
従って前記の第二実施形態においても、折曲個所に所定の三角柱空間ｂが形成され、突出部２の前傾を阻止するものである。
【符号の説明】
【００２２】
１，１ａ      折曲線
１１，１１ａ    第一折曲線
１２，１２ａ    第二折曲線
２      突出部
２１    上方台紙部
２２    下方台紙部
３      背台紙部
３１    前方台紙部
３２    後方台紙部
３３    掛け部
４      商品装着部
４１    吊下げ用透孔
４２    挟持部
４３    抑え透孔
【図１】
0003164383.tif 000003
【図２】
0003164383.tif 000004
【図３】
0003164383.tif 000005
【図４】
0003164383.tif 000006
【図５】
0003164383.tif 000007